(57)【要約】【課題】スプールに対するドラグ力の作動状態／非作動状態の切換操作が容易かつ迅速に行える魚釣用スピニングリールを提供する。【解決手段】魚釣用スピニングリールは、釣糸が巻回されるスプール３と、ハンドル５の巻取り操作によって、釣糸案内部を介してスプール３に釣糸を巻回案内するロータ２と、スプール３の回転を規制する規制状態とスプールフリーにするフリー状態に切換操作可能であり、リール本体１の後方側上部において前後方向に回動可能に設置された切換レバー３１を備えた切換機構３０とを有している。切換レバー３１は、前後方向に沿って屈曲し、前方側に向けての回動操作及び後方側に向けての回動操作を可能にする前方側押圧操作部３１Ｃと後方側押圧操作部３１Ｄとを具備した指当て操作面３１Ｂを有する。【選択図】図１
2009065927.tif 000002
【特許請求の範囲】
【請求項１】
リール本体の前部に設けられ、釣糸が巻回されるスプールと、
前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、
前記スプールの回転を規制する規制状態とスプールフリーにするフリー状態に切換操作可能であり、前記リール本体の後方側上部において前後方向に回動可能に設置された切換レバーを備えた切換機構と、
を有する魚釣用スピニングリールにおいて、
前記切換レバーは、前後方向に沿って屈曲し、前方側に向けての回動操作及び後方側に向けての回動操作を可能にする前方側押圧操作部と後方側押圧操作部とを具備した指当て操作面を有することを特徴とする魚釣用スピニングリール。
【発明の詳細な説明】
【技術分野】
【０００１】
本発明は、スプールに回転抵抗を与えるドラグ機構を、作動状態（ＯＮ状態）と非作動状態（ＯＦＦ状態）とに切換える切換機構を備えた魚釣用スピニングリールに関する。
【背景技術】
【０００２】
魚釣用スピニングリールの中には、リール本体内に、スプールに回転抵抗を与えるドラグ機構を、作動状態（スプールに対してドラグ力が作用する状態）と、非作動状態（スプールが完全にフリーになる状態とサブドラグ機構によってドラグ力が作用する状態を含む）とに切換える切換機構を備えたものが知られている。例えば、特許文献１には、リール本体の後方で、且つ脚部側の上方に、先端に操作部を有し前後方向に向けて回動自在に支持されている切換レバーを備えた魚釣用スピニングリールが開示されており、前記切換レバーを後方に向けて回動操作することで、ドラグ機構を作動状態（ＯＮ状態）から非作動状態（ＯＦＦ状態）に切換えることが可能となっている。
【０００３】
また、ハンドル軸には、復帰機構が配設されており、ハンドルを巻取り方向に回転したときに、前記ドラグ機構を非作動状態から作動状態に自動的に復帰できるように構成されている。
【特許文献１】特許第３８２７５１７号公報
【発明の開示】
【発明が解決しようとする課題】
【０００４】
上記したような魚釣用スピニングリールは、通常、ドラグをＯＦＦ状態にして仕掛けを所定のポイントに投擲した後、魚がヒットするのを待ち、魚の当たりがあった場合（ドラグＯＦＦのため釣糸が引き出される）、ハンドルを巻取り方向へ回転操作してドラグをＯＮ状態に復帰させて合わせ操作（フッキング操作）を行い、引き続き巻取り操作を行うように使用される。
【０００５】
ところで、実釣時においては、釣糸（仕掛け）繰り出し中や、仕掛けを所定のポイントに着水させた直後に魚が食い付くことがある。この場合、ハンドルを巻取り操作してドラグを復帰させた後に合わせ操作すると、タイムリーな合わせ操作が容易に行えず釣果に影響を及ぼしてしまう。そこで、この様な状況下では、ハンドルの回転操作ではなく、切換レバーを直接、指で操作することでドラグをＯＦＦ状態からＯＮ状態に復帰させることが行われる。また、実釣時の状況によっては、ドラグのＯＦＦ状態からＯＮ状態、或いは、ＯＮ状態からＯＦＦ状態へ素早い切換操作が要求されることもある。
【０００６】
しかしながら、上記した特許文献１に開示されている切換レバーは、上方に向けて突出した構成であるため、ドラグのＯＮ状態とＯＦＦ状態との間で一連の切換操作を行うに際し、突出する操作部前面を、指の腹部で後方に押し下げるように回動させた後、更に、指を後方に移動させて指の先端部で操作部後面を押し上げて前方へ回動操作する、といった必要があり、これにより、指の操作がぎこちなくなって、容易かつ迅速なドラグの切換操作が行えないという問題がある。
【０００７】
本発明は、上記した問題に基づいてなされたものであり、スプールに対するドラグ力を作動状態／非作動状態に切換える切換レバーを備えた魚釣用スピニングリールにおいて、ドラグの切換操作が容易かつ迅速に行える魚釣用スピニングリールを提供することを目的とする。
【課題を解決するための手段】
【０００８】
上記した目的を達成するために、本発明に係る魚釣用スピニングリールは、リール本体の前部に設けられ、釣糸が巻回されるスプールと、前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、前記スプールの回転を規制する規制状態とスプールフリーにするフリー状態に切換操作可能であり、前記リール本体の後方側上部において前後方向に回動可能に設置された切換レバーを備えた切換機構と、を有しており、前記切換レバーは、前後方向に沿って屈曲し、前方側に向けての回動操作及び後方側に向けての回動操作を可能にする前方側押圧操作部と後方側押圧操作部とを具備した指当て操作面を有することを特徴とする。
【０００９】
上記した構成の魚釣用スピニングリールにおける切換機構の切換レバーは、スプールの回転を規制する規制状態とスプールフリーにするフリー状態との間で切換操作する際、指当て操作面に指を当てた状態で、前方側に向けての回動操作及び後方側に向けての回動操作が可能となっている。したがって、ドラグの作動状態及び非作動状態間における切換操作時に、指の不必要な無駄な動きがなくなり、瞬時にタイムリーな合わせ操作を行うことができる。
【発明の効果】
【００１０】
本発明によれば、スプールに対するドラグ力を作動状態／非作動状態に切換える切換レバーを備えた魚釣用スピニングリールにおいて、ドラグの切換操作が容易かつ迅速に行えるようになる。
【発明を実施するための最良の形態】
【００１１】
以下、本発明に係る魚釣用スピニングリールの実施形態について、添付図面を参照して説明する。
図１から図８は、本発明の一実施形態を示す図であり、図１は、魚釣用スピニングリールの内部構成を示す図（ドラグ作動状態；切換レバーＯＮ）、図２は、図１の主要部を拡大した図（ドラグ非作動状態；切換レバーＯＦＦ）、図３は、リール本体を上方から見た部分断面図、図４は、リール脚部分を後方から見た図、図５は、図１のＡ−Ａ線に沿った断面図、図６は、図３のＢ−Ｂ方向に沿った断面図、図７は、図３のＣ−Ｃ線に沿った断面図、そして、図８は、図１のＤ−Ｄ線に沿った断面図である。
【００１２】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣糸が巻回されるスプール３が配設されている。
【００１３】
リール本体１内には、ハンドル軸（駆動軸）４が回転可能に支持されており、その突出端部には、ハンドル５が取り付けられている。また、ハンドル軸４には、巻取り駆動機構が係合しており、この巻取り駆動機構は、ハンドル軸４に取り付けられ、内歯（歯部７ａ）が形成された駆動歯車（フェースギヤ）７と、この駆動歯車７に噛合すると共にハンドル軸４と直交する方向に延出し、内部に軸方向に延出する空洞部が形成されたピニオンギヤ９とを備えている。
【００１４】
なお、本実施形態では、図５に示すように、ハンドル５は、左右両側に装着可能となっており、公知のように、その突設した外周非円形の軸５ａが、フェースギヤ７と一体化された空洞軸に回り止め嵌入された構成となっている。ここでは、そのようなフェースギヤ７が一体化されて軸５ａと一体回転する内周非円形の空洞軸をハンドル軸（駆動軸）４と称する。
【００１５】
前記ピニオンギヤ９は、軸受９ａ，９ｂを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。また、前記ピニオンギヤ９には、スプール３（スプール軸３ａ）を前後往復動させるための公知の往復動装置１０が係合している。
【００１６】
前記往復動装置１０は、リール本体内に回転可能に支持され、スプール軸３ａと平行に延出する螺軸（ウォームシャフト）１２と、前記スプール軸３ａの後部に回転可能で軸方向移動不能に係合される摺動体１３とを備えている。前記螺軸１２の端部には、前記ピニオンギヤ９と噛合するオシレートギヤ１５が設けられており、前記ハンドル５を回転操作することで、螺軸１２は、前記駆動歯車７、ピニオンギヤ９及びオシレートギヤ１５を介して回転駆動される。そして、前記螺軸１２の周面には、軸方向に沿って螺旋状のカム溝１２ａが形成されており、このカム溝１２ａに、前記摺動体１３に収容保持された係合ピン（図示せず）が係合することで、スプール軸３ａ（スプール３）は、ハンドル５の巻取り操作により前後に往復動される。
【００１７】
上記した構成により、ハンドル５を巻取り操作すると、ロータ２は、駆動歯車７及びピニオンギヤ９を介して回転駆動され、かつ、スプール３は、駆動歯車７、ピニオンギヤ９及び往復動装置１０を介して前後方向に往復駆動され、スプール３には、回転するロータ２の釣糸案内部を介して均等に釣り糸が巻回される。
【００１８】
前記スプール３とスプール軸３ａとの間には、図示しないスプールの回転に制動力を付与する公知のドラグ機構（フロントドラグ機構）１７が設置されている。また、スプール軸３ａの後端側には、サブドラグ機構２０が設置されており、後述する切換機構によって、スプール３がフリー状態（スプール軸３ａがフリーに回転する状態）になったとき、補助的にスプール軸３ａに対して制動力（ドラグ力）を付与できるようになっている。
【００１９】
具体的には、前記サブドラグ機構２０は、リール本体１の後端部に突出形成された円筒部１ａに対して回転操作される調節ツマミ２１と、調節ツマミ２１の回転操作に伴う軸方向の移動により、押圧バネ２２を介して所定の制動力を付与可能にする制動部材２３とを備えている。前記スプール軸３ａの後端側には、スプール軸３ａの後部の非円形部を軸方向移動不能に回り止め嵌合した状態で挿通させるカラー２４が配置されており、前記制動部材２３は、リール本体１及びカラー２４との間で制動力を作用させ、スプール軸３ａが切換機構によってフリー回転可能な状態になったときでも、調節ツマミ２１を回転操作することで、スプール３の回転に補助的に制動力を作用させることが可能となっている。
【００２０】
前記リール本体１内には、スプール３の回転を規制する規制状態とスプールフリーにするフリー状態とに切換える切換機構３０、及びスプールフリー状態にある切換機構３０をハンドル５の巻取り操作によって規制状態に復帰させる復帰機構６０が設けられている。以下、これらの機構について説明する。なお、本実施形態における「スプールの規制状態」とは、スプール軸３ａの回転が阻止されて、スプール軸３ａとドラグ機構１７との間で所望のドラグ力が作用する状態やスプールロック状態を意味し、「スプールフリー状態」とは、スプール軸３ａが自由回転状態になったことを意味する。従って、スプールフリー状態には、サブドラグ機構２０によって、スプールに対して小さな回転抵抗が加わった状態を含む。
【００２１】
前記切換機構３０は、リール本体１の後方側上部、詳細には、前記リール脚１Ａの後方側基端部において、前後方向に回動可能に設置された切換レバー３１と、リール本体１内に配設されると共に、切換レバー３１によって回動駆動され、以下のように、２つの部材３２Ａ，３２Ｂで構成される作動体３２と、作動体３２の一端側に係合するストッパ部材３４とを備えている。
【００２２】
前記切換レバー３１の本体３１Ａは、リール本体１に対し、端部にネジ部を有する支軸３１ａを中心に前後方向に沿って回動可能に軸支されている。なお、ここでの前後方向とは、リール脚１Ａを図示していない釣竿に装着した際、釣竿の軸方向に沿った方向を意味しており、図２の矢印Ｄ１，Ｄ２方向となる。
【００２３】
前記切換レバー３１の本体３１Ａは、リール本体１から露出する部分に、釣人の指（特に親指）の腹部を載置可能にする指当て操作面３１Ｂを備えている。この指当て操作面３１Ｂは、前後方向に沿って屈曲しており、前方側に向けての回動操作及び後方側に向けての回動操作を可能にする前方側押圧操作部３１Ｃと後方側押圧操作部３１Ｄとを具備している。
【００２４】
具体的には、図１及び図２に示すように、側面視において、断面略Ｖ字形状に形成されており、その表面（指当て操作面３１Ｂ）に親指の腹部を載置しておき、屈曲領域Ｐを中心として、前方側に位置する前方側押圧操作部３１Ｃを押圧操作することで、矢印Ｄ１に示すように本体３１Ａを前方側に向けて回動操作することができ、かつ、そのまま指を指当て操作面３１Ｂから離すことなく屈曲領域Ｐを中心として、後方側に位置する後方側押圧操作部３１Ｄを押圧操作することで、矢印Ｄ２に示すように本体３１Ａを後方側に向けて回動操作することができるようになっている。
【００２５】
なお、前記切換レバー３１の本体３１Ａの基端部（回動軸支部分）は、図３及び図４に示すように、リール本体１の上方側の側部を挟持する方向に設けられており、リール本体の左右両側から一対の固定ネジ３１ｂによって支軸３１ａの端部に固定され、支軸３１ａを介してリール本体１に回動可能に支持されている。前記一対の固定ネジ３１ｂが螺着される支軸３１ａは、両サイドからリール本体内に向けて挿入されており、以下に説明する作動体３２の回動中心軸となる。
【００２６】
前記作動体３２は、切換レバー３１の支軸３１ａを中心に揺動可能に配置される作動プレート３２Ａと、この作動プレート３２Ａと同軸上で駆動歯車側に重なるように回動可能に設置され、後述するキック部材６１の回転軌跡内に入り込むことが可能なキック側プレート３２Ｂとを備えている。
【００２７】
両プレート３２Ａ，３２Ｂの中心支持領域には、フリクションバネ３２Ｃが巻き付くように設置されており、切換レバー３１が図１に示す位置から矢印Ｄ２方向に回動された際、作動プレート３２Ａの時計回り方向の回動に伴って、キック側プレート３２Ｂも一体的に時計回り方向に回動させるようになっている。すなわち、切換レバー３１を、図１に示す位置から矢印Ｄ２方向に回動操作することで、図２で示すように、キック側プレート３２Ｂの当接部３２ｅの側部は、作動プレート３２Ａの壁部３２Ａ´に当接されて一体的に回動され、キック側プレート３２Ｂの先端に形成された係合部３２ｄは、図２に示すように、キック部材６１のカム片６１Ａの回転軌跡内に入り込むようになっている。なお、フリクションバネ３２Ｃは、当接部３２ｅの側部が、壁部３２Ａ´に常時当接される方向に付勢している。
【００２８】
また、キック側プレート３２Ｂの支軸３１ａを中心として、係合部３２ｄと反対側には、前記当接部３２ｅが形成されており、切換レバー３１が回動操作されることで、支軸３８によって回動可能に支持されたストッパ部材３４の当接部３４ａに当接するようになっている。なお、作動体３２の回動動作は、作動プレート３２Ａとリール本体１との間に設置される振り分けバネ３７によって、図１に示す切換レバーＯＮ状態と、図２に示す切換レバーＯＦＦ状態に振り分け保持される。
【００２９】
前記作動体３２のキック側プレート３２Ｂの当接部３２ｅによって回動駆動される前記ストッパ部材３４は、支軸３８を中心として回動可能に軸支されており、一端側に前記当接部３２ｅが当接する当接部３４ａが形成され、他端側に、スプール軸３ａに対して回り止め固定されたラチェット３ｂに対して係脱される係脱部３４ｂが形成されている（図１、図２、図８参照）。
【００３０】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図２参照）。
【００３１】
そして、上記した切換機構３０によって、スプールフリー状態に切換えられた切換レバー３１は、復帰機構６０によって、図１に示す状態に復帰される。以下、この復帰機構６０の構成について説明する。
【００３２】
本実施形態における復帰機構６０は、ハンドル軸４に対してオフセットした位置に設置されたキック部材６１を具備している。このキック部材６１は、前記駆動歯車７によって回転されるギヤ７０と噛合する連結ギヤ７２の中心を回転中心として所定角度回転可能に支持されており、回転方向にバネ付勢された状態となっている。
【００３３】
前記ギヤ７０と連結ギヤ７２の設置箇所は、キック部材６１の配置態様に影響を及ぼすことから、できるだけリール本体１が薄型でコンパクト化できるように設定される。具体的には、図３に示すように、ギヤ７０と連結ギヤ７２の噛合部の中心（噛合部の歯幅方向の中心）となる部分（ラインＸで示す線上に位置する）は、スプール軸３ａ（ピニオンギヤ９）の回転中心（ラインＸ１で示すピニオンギヤ９の軸心）に対して、駆動歯車７側となるように設定される。
【００３４】
本実施形態では、前記駆動歯車７によって回転されるギヤ７０は、図３に示すように、駆動歯車７と一体形成されており（別体で一体化されていても良い）、駆動歯車７の歯部７ａに対して径方向内方に設置されている。このため、連結ギヤ７２は、ギヤ７０を有するハンドル軸４に対してオフセットしたリール脚側で噛合するようにリール本体１に回転可能に支持されている。具体的には、連結ギヤ７２は、回転中心部分にカラー７３を介在させ、そのカラー７３を貫通するように嵌入して、リール本体１のハンドル側の側板に螺入される固定ネジ７５によって回転可能に支持されている。
【００３５】
ここで、連結ギヤ７２に対する前記キック部材６１の支持態様について説明する。
【００３６】
前記連結ギヤ７２の駆動歯車と反対側の表面には、図６に示すように、略１８０°間隔で、以下の環状凹所６２Ａ内に位置する突片７３ａ，７３ｂが形成されている。一方、前記キック部材６１には、連結ギヤ７２の外周側表面に面接するように環状部６２が形成されており、前記カラー７３との間に環状凹所６２Ａを形成している。前記環状部６２の内周面には、弧状に形成された突部６２ａと、前記突片７３ａ，７３ｂ間に位置する突部６２ｂが形成されており、前記突片７３ａと突部６２ｂと間には付勢バネ７７が介在されて、キック部材６１を回転方向（図６の時計回り方向）に付勢している。これにより、キック部材６１は、連結ギヤ７２の中心部に位置するカラー７３の周りを、所定の角度で回転可能であると共に、付勢バネ７７によって回転方向に付勢された状態で支持されている。
【００３７】
また、前記キック部材６１には、図７に示すように、略１８０°間隔で一対のカム片６１Ａが形成されており、このカム片６１Ａには、前記キック側プレート３２Ｂに形成される係合部３２ｄが係合可能になっている。すなわち、キック側プレート３２Ｂの係合部３２ｄは、前記切換レバー３１の回転操作に伴って、カム片６１Ａの回転軌跡内に入り込み、カム片６１Ａと係合可能な状態となる。従って、キック部材６１によってキックされる係合部材（キック側プレート３２Ｂの係合部３２ｄ）は、カム片６１Ａが回転方向へ移動できることでデッドポイントが生じることなく、キック部材６１の回転軌跡内に入り込むことが可能となる。
【００３８】
以上のように構成される魚釣用スピニングリールの作用について説明する。なお、ここでは、図９から図１１に示す図を併せて参照し、切換レバー３１の操作方法についても説明する。
【００３９】
最初、図１に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００４０】
図１に示す状態から切換レバー３１を、図２の矢印Ｄ２方向に回動操作すると、作動体３２を構成する作動プレート３２Ａは、固定ネジ３１ａを中心として時計回り方向に回動し、これに伴い、キック側プレート３２Ｂも時計回り方向に回動され、先端の係合部３２ｄは、図２に示すように、カム片６１Ａの回転軌跡内に入り込む。なお、切換レバー３１は、図９に示す指当て操作面３１Ｂに親指の腹部を載置し（図１０参照）、屈曲領域Ｐを中心として、後方側に位置する後方側押圧操作部３１Ｄを押圧操作することで、図１１に示すように、本体３１Ａを後方側に向けて回動操作することができる。
【００４１】
このとき、前記したキック部材６１が、どの位置にあっても、係合部３２ｄは、デッドポイントを生じさせることなく、回転軌跡内に入り込むことが可能となっている。すなわち、仮に、切換レバー３１の回動操作時に、係合部３２ｄがキック部材６１（カム片６１Ａ）に干渉するような位置にあったとしても、係合部３２ｄが回動することでキック部材６１は、カラー７３の周りを、付勢バネ７７の付勢力に抗して反時計回り方向に回転させることが可能であるため、デッドポイントを生じさせることはない。
【００４２】
また、キック側プレート３２Ｂの時計回り方向への回動により、当接部３２ｅは、ストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａはフリー回転可能な状態になる。なお、この状態では、上記したサブドラグ機構２０の調節ネジ２１を回転操作することで、スプール３の回転に対して補助的にドラグ力を作用させることが可能となっている。
【００４３】
そして、この状態で、スプール３は完全なフリー状態となるため、魚が掛かった際、そのまま釣糸は引き出されるが、直ちにスプール３に対してドラグ力を作用させるには、そのまま、切換レバー３１の指当て操作面３１Ｂに載置した親指を、屈曲領域Ｐを中心として、前方側に位置する前方側押圧操作部３１Ｃに向けて押圧操作すれば良い。すなわち、図１１から図１０に示すように、切換レバー３１を迅速かつ容易に前方側に向けて回動操作（図２矢印Ｄ１方向への回動操作）することができるので、掛かった魚を直ちにフッキングすることが可能になる。
【００４４】
もちろん、上記した切換レバー３１の前方側押圧操作部３１Ｃを押圧操作しなくても、ハンドル５を巻取り操作することで、上記した復帰機構により、切換レバー３１を図１に示す状態に自動復帰させることも可能である。
【００４５】
すなわち、図２に示す状態において、ハンドル５を巻取り操作すると、ギヤ７０は反時計回り方向に回転し、連結ギヤ７２は、時計回り方向に回転する。これに伴い、キック部材６１のカム片６１Ａは、キック側プレート３２Ｂの係合部３２ｄに当て付き、さらに、連結ギヤ７２の時計回り方向の回転により、前記連結ギヤ７２に形成された突片７３ｂが、付勢バネ７７の付勢力に抗して図６に示す突部６２ａの壁部６２ａ´に当て付いて、キック部材６１を時計回り方向に回転させる。これにより、キック側プレート３２Ｂは、当接しているカム片６１Ａを介して反時計回り方向に回動される。
【００４６】
このキック側プレート３２Ｂの回動は、フリクションバネ３２Ｃを介して作動プレート３２Ａに伝達され、切換レバー３１を、固定ネジ３１ａを介して反時計回り方向に回動させ、図１に示す状態に自動的に復帰させる。これにより、ストッパ部材３４は、スプリング３８ａによって時計回り方向に回動され、係脱部３４ｂがラチェット３ｂと係合し、再び、スプール３の回転が規制される規制状態に切換えられる。
【００４７】
なお、上記した切換レバー３１が、図２に示すように、ＯＦＦにされた状態において、ロータ２が逆転可能状態に設定されていると、魚が掛かった場合など、ハンドル軸４は、図２において、時計回り方向に回転してしまう。このとき、キック部材６１のカム片６１Ａは、ギヤ７０及び連結ギヤ７２の噛合関係により反時計回り方向に回転して、キック側プレート３２Ｂの係合部に当て付き、キック側プレート３２Ｂを、固定ネジ３１ａを中心として時計回り方向に回動させようとする。上記したように、キック側プレート３２Ｂは、フリクションバネ３２Ｃの摩擦力によって、作動プレート３２Ａに対して逃げることが可能となっているため、切換機構３０や復帰機構６０を損傷させることがない。
【００４８】
上記した構成の魚釣用スピニングリールでは、切換レバー３１は、スプールの回転を規制する規制状態とスプールフリーにするフリー状態との間で切換操作する際、指当て操作面３１Ｂに指を当てた状態で、指を離すことなく、前方側押圧操作部３１Ｃ及び後方側押圧操作部３１Ｄを押圧操作して、前方側に向けての回動操作及び後方側に向けての回動操作が可能となっている。したがって、切換操作時において、指の不必要な無駄な動きがなくなり、瞬時にタイムリーな合わせ操作を行うことができ、釣果の向上が図れるようになる。
【００４９】
さらに、上記した構成における魚釣用スピニングリールでは、復帰機構６０を構成する復帰用のキック部材６１を、連結ギヤ７２の中心部分において、回転方向にバネ付勢した状態で支持した構成としているため、いわゆるノンデッド機構を構成する部品を、回転部材である連結ギヤ７２の支持部上に集約して配置することができ、これにより、ノンデッド機構の可及的な省スペース化が可能となって、リール本体１を小型化することが可能となる。
【００５０】
そして、前記ギヤ７０と連結ギヤ７２の噛合部の中心（ラインＸで示す）が、ピニオンギヤ９の軸心Ｘ１よりも駆動歯車７側になるように配置したことで、キック部材６１を駆動歯車７の歯面７ａ側に近接配置することが可能となり、リール本体の可及的な薄型化・コンパクト化及び軽量化が可能になる。特に、本実施形態では、駆動歯車７によって回転されるギヤ７０を、駆動歯車７の歯部７ａに対して径方向内方に設置しているため、ギヤ７０及び連結ギヤ７２を限られたスペース内で効率的に設置することができ、リール本体の、より可及的な薄型化・コンパクト化及び軽量化を図ることが可能になる。
【００５１】
以上、本発明の実施形態について説明したが、本発明は、上記した実施形態に限定されることはなく、種々変形することが可能である。
【００５２】
上記した切換機構３０を構成する切換レバー３１については、指を載置した状態で、指を離すことなく、そのまま前方側への回動操作、及び後方側への回動操作ができるように構成されていれば良い。このため、上記した実施形態における指当て操作面３１Ｂは、略Ｖ字形状に屈曲形成されていたが、前後方向に沿って屈曲する指当て操作面３１Ｂは、屈曲領域Ｐを含めて、例えば、滑らかな湾曲状に形成されていても良い。或いは、その表面を粗面化したり、凹凸状にしたり、段差状にしたり、更に、前方及び後方側押圧操作部を備えた指当て操作面を切換レバーの本体に着脱可能に構成する等、適宜変形することが可能である。
【００５３】
また、切換レバー３１を後方側に回動操作してドラグ作動状態（ＯＮ状態）に、前方側に回動操作してドラグ非作動状態（ＯＦＦ状態）に切換方向を逆に構成しても良い。さらに、本発明は、魚釣用スピニングリールにおいて、ドラグ作動状態と非作動状態を切換える切換機構３０の内、切換レバー３１の構成に特徴があり、それ以外の構成については、適宜変形することが可能である。
【図面の簡単な説明】
【００５４】
【図１】本発明の一実施形態を示す図であり、魚釣用スピニングリールの内部構成を示す図（ドラグ作動状態；切換レバーＯＮ）。
【図２】図１の主要部を拡大した図（ドラグ非作動状態；切換レバーＯＦＦ）。
【図３】リール本体を上方から見た部分断面図。
【図４】リール脚部分を後方から見た図。
【図５】図１のＡ−Ａ線に沿った断面図。
【図６】図３のＢ−Ｂ方向に沿った断面図。
【図７】図３のＣ−Ｃ線に沿った断面図。
【図８】図１のＤ−Ｄ方向に沿った部分断面図。
【図９】切換レバー部分を示す斜視図。
【図１０】切換レバーのＯＮ状態を示す斜視図。
【図１１】切換レバーのＯＦＦ状態を示す斜視図。
【符号の説明】
【００５５】
１  リール本体
２  ロータ
３  スプール
４  ハンドル軸（駆動軸）
５  ハンドル
７  駆動歯車
９  ピニオンギヤ
１７  ドラグ機構
２０  サブドラグ機構
３０  切換機構
３１  切換レバー
３１Ａ  本体
３１Ｂ  指当て操作面
３１Ｃ  前方側押圧操作部
３１Ｄ  後方側押圧操作部
６０  復帰機構
【図１】
2009065927.tif 000003
【図２】
2009065927.tif 000004
【図３】
2009065927.tif 000005
【図４】
2009065927.tif 000006
【図５】
2009065927.tif 000007
【図６】
2009065927.tif 000008
【図７】
2009065927.tif 000009
【図８】
2009065927.tif 000010
【図９】
2009065927.tif 000011
【図１０】
2009065927.tif 000012
【図１１】
2009065927.tif 000013